(57)【要約】【課題】頭に傘を載せるため、構造が簡単で、操作性が良く、風等の影響で傘が飛ばされ難いようにしないと、実用性としては無い等の問題が生じていた。【解決手段】上ろくろの下には移動ろくろを設け、移動ろくろに取付けられた引っ掛け具を下に引っ張ることにより傘布を閉傘状態にし、傘軸の下部には切り欠き開口部を設け、傘軸の切り欠き開口部から出入りする下はじきを取付け、下はじきの上端にはバネと下端には操作用引っ張り具が取付けられ、バネの他端は傘軸に固定され、バネの力によって下はじきの先端部が常時切り欠き開口部より突出し、閉傘時に上ろくろの上方に移動するのを止める働きをする、傘本体は帽子等で支えるために、傘軸の下端が帽子の頭部内側の固定具で固定されている。【選択図】図１
2018061804.tif 000002
【特許請求の範囲】
【請求項１】
（イ）傘の傘軸（２）の上部には上ろくろ（３）と一体に成ったストッパー用ろくろ（１８）を設け、上ろくろ（３）より複数本の受骨（４）の下端が回動自在に取付けられ、受骨（４）の上端は親骨（５）に取付け、移動ろくろ（６）を持ち上げることにより受骨（４）を介して親骨（５）が押し開かれ、傘布（１）の開傘状態が得られ、（ロ）上ろくろ（３）の下には移動ろくろ（６）を設け、移動ろくろ（６）に取付けられた引っ掛け具（８）を下に引っ張ることにより傘布（１）を閉傘状態にする、（ハ）傘軸（２）の下部には切り欠き開口部（９）を設け、傘軸（２）の切り欠き開口部（９）から出入りする下はじき（１０）を取付け、下はじき（１０）の上端にはバネ（１１）と下端には操作用引っ張り具（１２）が取付けられ、バネ（１１）の他端は傘軸（２）に固定され、バネ（１１）の力によって下はじき（１０）の先端部が常時切り欠き開口部（９）より突出し、閉傘時に上ろくろ（３）の上方に移動するのを止める働きをする、（ニ）傘本体は帽子（１５）等で支えるために、傘軸（２）の下端が帽子（１５）の頭部内側の固定具によって固定されている、以上のように構成された頭にかぶる傘。
【請求項２】
傘軸（２）の下端には開傘の状態を保つため、帽子（１５）の頭部に位置固定杆（１３）を受ける受け部（１４）が設けられ、位置固定杆（１３）の上端は移動ろくろ（６）に上下動自在に取付けた請求項１の頭にかぶる傘。
【発明の詳細な説明】
【技術分野】
【０００１】  本発明は、雨傘若しくは日傘として使用できる頭に被る帽子型の傘に関する。
【背景技術】
【０００２】  従来の傘は、片手で持って使用するのが一般的であった。頭に被る帽子型の傘も色々提案されている。カチューシャの頂部に開閉可能な傘（特許文献１）や頭に被る帽子型の傘（特許文献２）が知られている。
【先行技術文献】
【特許文献】
【０００３】
【特許文献１】特開平１１−５６４２９号公報
【特許文献２】実開平０７−４４９０１号公報
【発明の概要】
【０００４】
【発明が解決しようとする課題】
【０００５】  頭に傘を載せるため、構造が簡単で、操作性が良く、風等の影響で傘が飛ばされ難いようにしないと、実用性としては無い等の問題が生じていた。  特に、雨の日に自転車に乗る場合、雨風のために傘が差せないこともあった。
【課題を解決するための手段】
【０００６】（イ）傘の傘軸（２）の上部には上ろくろ（３）と一体に成ったストッパー用ろくろ（１８）を設け、上ろくろ（３）より複数本の受骨（４）の下端が回動自在に取付けられ、受骨（４）の上端は親骨（５）に取付け、移動ろくろ（６）を持ち上げることにより受骨（４）を介して親骨（５）が押し開かれ、傘布（１）の開傘状態が得られ、（ロ）上ろくろ（３）の下には移動ろくろ（６）を設け、移動ろくろ（６）に取付けられた引っ掛け具（８）を下に引っ張ることにより傘布（１）を閉傘状態にする、（ハ）傘軸（２）の下部には切り欠き開口部（９）を設け、切り欠き開口部（９）から出入りする下はじき（１０）を取付け、下はじき（１０）の上端にはバネ（１１）と下端には操作用引っ張り具（１２）が取付けられ、バネ（１１）の他端は傘軸（２）に固定され、バネ（１１）の力によって下はじき（１０）の先端部が常時切り欠き開口部（９）より突出し、閉傘時には上ろくろ（３）の上方に移動するのを止める働きをする、（ニ）傘本体は帽子（１５）等で支えるために、傘軸（２）の下端が帽子（１５）の頭部内側の固定具によって固定されている、  以上のように構成された頭にかぶる傘。
【発明の効果】
【０００７】  構造が簡単で、操作性も良く、風対策にも対応出来ている、頭に被る傘を提供することが出来る。雨の日に限らず、日傘として従来にも益して両手がフリーに成るので使い勝手が良い。
【図面の簡単な説明】
【０００８】【図１】本発明を頭に取付けた使用状態図
【図２】本発明の傘を開いた正面図
【図３】本発明の傘を閉じる操作状態図
【図４】本発明の傘を開いた状態の要部拡大図
【図５】本発明の下はじきの動きを示す一部切り欠いた正面図
【図６】本発明の傘を閉じた時の下はじきの動きを示した要部拡大図
【図７】本発明の傘を閉じた正面図
【発明を実施するための形態】
【０００９】以下、本発明の実施の形態を説明する。（イ）本発明の傘は折りたたみ傘の構造を基本としている。（ロ）傘の傘軸（２）の上部には上ろくろ（３）と一体に成ったストッパー用ろくろ（１８）が設けられ、上ろくろ（３）より複数本の受骨（４）の下端が回動自在に取付けられ、受骨（４）の上端は親骨（５）の中間位置に回動自在に取付け、移動ろくろ（６）を持ち上げることにより受骨（４）を介して親骨（５）が押し開かれ、傘布（１）の開傘状態が得られる。（ハ）傘の開閉を行う機構としては、傘軸（２）の上部に設けたコイルバネ（７）は上ろくろ（３）の上に位置し、傘軸（２）にコイルバネ（７）が挿入されている。
【００１０】（ニ）上ろくろ（３）の下には移動ろくろ（６）が設けられ、傘布（１）を閉傘状態にする際に、移動ろくろ（６）の左右に取付けられた引っ掛け具（８）を設け、操作する時は左右の指で引っ掛け具（８）を下に引き下げるようにする。傘軸（２）の下部には切り欠き開口部（９）を設け、傘軸（２）の切り欠き開口部（９）から出入りする下はじき（１０）を取付け、下はじき（１０）の上端にバネ（１１）と下端には操作用引っ張り具（１２）が取付けられ、先端には引っ張り用輪（１７）が設けられている。バネ（１１）の他端は傘軸（２）に固定され、このバネ（１１）の力によって下はじき（１０）の先端部が常時切り欠き開口部（９）より突出し、閉傘時に上ろくろ（３）の上方に移動するのを止める働きをする。（ホ）傘本体は帽子（１５）等で支えるために、傘軸（２）の下端が帽子（１５）の頭部内側の固定具によって固定されている。更に、帽子（１５）には風圧に耐えるために下顎で保持するためのあごひも（１６）が取付けられている。（ヘ）傘軸（２）の下端には開傘の状態を保つため、帽子（１５）の頭部に位置固定杆（１３）を受ける受け部（１４）が設けられ、位置固定杆（１３）の上端は移動ろくろ（６）に上下動自在に取付けられている。  本発明は以上のような構造である。
【００１１】  本発明を使用するときは、傘の図７に示した閉傘状態から図１に示した開傘状態そして図７に示した閉傘状態にする際の使用する手順について説明をします。  図７の傘の閉傘状態は、先ず傘（１）の付いた帽子（１５）を頭に被り、あごひも（１６）でしっかりと頭に固定する。次に、操作用引っ張り具（１２）の引っ張り用輪（１７）に指（１９）を掛けて引っ張ると、図６に示したストッパー用ろくろ（１８）の昇降を停止している状態から、下はじき（１０）が引っ張られ、切り欠き開口部（９）から突出している状態から、図５に示したように、下はじき（１０）が傘軸（２）に収納されるので、ストッパー用ろくろ（１８）の上昇が解除されて、図２の開傘状態と成り、傘を差した状態となる。開傘状態を常に保つため、図４に示すように、位置固定杆（１３）の下端を帽子（１５）の頭部に設けた受け部（１４）にスライド挿入することによって、移動ろくろ（６）が下降することを防いで風対策として、安定的な位置を確保している。
【００１２】  次は、図１の開傘状態から図７に示した閉傘状態にする手順について説明する。傘布（１）が開傘状態になっているので、開傘状態から閉傘状態にするには、先ず図２に示した、帽子（１５）の頭部に位置固定杆（１３）の先端が受け部（１４）で固定されている状態から、指（１９）で位置固定杆（１３）を受け部（１４）から外すことによって、移動ろくろ（６）の下降を可能としている。  固定解除された移動ろくろ（６）の左右に取付けられた引っ掛け具（８）を、左右の指（１９）で引っ掛け具（８）を下に引き下げると、図３に示したように移動ろくろ（６）が引っ張られ下に下降することによって、受骨（４）も連動して下降することによって、親骨（５）が閉じる。
【００１３】  更に、引っ掛け具（８）を帽子（１５）の頭部まで降ろしきると、図６に示したように、ストッパー用ろくろ（１８）が下はじき（１０）を通過すると、下はじき（１０）が切り欠き開口部（９）より突出し、ストッパー用ろくろ（１８）の上昇を止めることによって、図７の閉傘状態になる。
【符号の説明】
【００１０】１傘布、２傘軸、３上ろくろ、４受骨、５親骨、６移動ろくろ、７コイルバネ、８引っ掛け具、９切り欠き開口部、１０下はじき、１１バネ、１２操作用引っ張り具、１３位置固定杆、１４受け部、１５帽子、１６あごひも、１７引っ張り用輪、１８ストッパー用ろくろ、１９指
【図１】
2018061804.tif 000003
【図２】
2018061804.tif 000004
【図３】
2018061804.tif 000005
【図４】
2018061804.tif 000006
【図５】
2018061804.tif 000007
【図６】
2018061804.tif 000008
【図７】
2018061804.tif 000009